(57)【要約】【課題】電極の面積を縮少して消費電力を低減させ，前面基板での外光の反射を防止してコントラストを向上させることができるプラズマディスプレイパネルを提供する。【解決手段】所定の間隔をおいて対向するように配置される第１基板１０および第２基板２０と，第１基板１０で第１方向に沿って形成されるアドレス電極１２と，第１基板１０と第２基板２０との間の空間に配置されて放電セル１８を区画する隔壁１６と，各々の放電セル１８内に形成される蛍光体層１９と，第２基板２０で第１方向と交差する第２方向に沿って形成され，第１方向で互いに交互に形成される第１電極３１および第２電極３２とを含み，第１電極３１および第２電極３２において，第２方向に沿って延びて形成されるバス電極３１ｂは，放電セル１８で互いに電気的に連結されながら，所定の間隔をおいて配置される少なくとも二つのバス電極部３１ｂ１，３１ｂ２を含む。【選択図】図２
2006237002.tif 000002
【特許請求の範囲】
【請求項１】
所定の間隔をおいて，対向するように配置される第１基板および第２基板と；
前記第１基板の前記第２基板に対向する面において，第１方向に沿って形成されるアドレス電極と；
前記第１基板と前記第２基板との間の空間に配置され，放電セルを区画する隔壁と；
各々の前記放電セル内に形成される蛍光体層と；
前記第２基板の前記第１基板に対向する面において，前記第１方向と交差する第２方向に沿って形成され，前記第１方向で互いに交互で形成される第１電極および第２電極と；
を含み，
前記第１電極および前記第２電極の各々は，前記第２方向に沿って延びて形成されるバス電極，および各々対応する前記放電セルの内部に向かって拡大される拡大電極を含み，
各々の前記バス電極は，互いに電気的に接続されており，前記第２方向に沿って形成され，前記放電セルで互いの間に所定の間隔をおいて配置される少なくとも二つのバス電極部を含むことを特徴とする，プラズマディスプレイパネル。
【請求項２】
前記第１電極および前記第２電極における各々の前記バス電極は，第１バス電極部および第２バス電極部を含むことを特徴とする，請求項１に記載のプラズマディスプレイパネル。
【請求項３】
前記第１電極および前記第２電極における各々の前記バス電極を構成する前記第１バス電極部および前記第２バス電極部は，前記第２基板の一側の周縁付近で互いに接続されることを特徴とする，請求項２に記載のプラズマディスプレイパネル。
【請求項４】
前記第２基板は，第１周縁と，前記第１周縁の反対側に位置する第２周縁とを有し，
前記第１電極の前記バス電極を構成する前記第１バス電極部および前記第２バス電極部は，前記第２基板の前記第１周縁付近で互いに接続され，
前記第２電極の前記バス電極を構成する前記第１バス電極部および前記第２バス電極部は，前記第２基板の前記第２周縁付近で互いに接続されることを特徴とする，請求項２または３に記載のプラズマディスプレイパネル。
【請求項５】
前記第１電極および前記第２電極の各々は，前記第１方向に隣接した各々の前記放電セルに共有されることを特徴とする，請求項１〜４のいずれかに記載のプラズマディスプレイパネル。
【請求項６】
前記隔壁は，前記第１方向に沿って形成される第１隔壁部材，および前記第２方向に沿って形成される第２隔壁部材を含み，
前記第１電極および前記第２電極の各々の前記バス電極は，前記第２隔壁部材に対応して形成されることを特徴とする，請求項１〜５のいずれかに記載のプラズマディスプレイパネル。
【請求項７】
前記第１電極と前記第２電極との間で，前記放電セルに対応して形成される第３電極をさらに含むことを特徴とする，請求項１〜６のいずれかに記載のプラズマディスプレイパネル。
【請求項８】
前記第１電極および前記第２電極の各々において，所定の間隔をおいて配置される前記第１バス電極部と前記第２バス電極部との間に，前記第２方向に沿って黒色層が形成されることを特徴とする，請求項２〜７のいずれかに記載のプラズマディスプレイパネル。
【請求項９】
前記黒色層と前記第１バス電極部および前記第２バス電極部とが，所定の間隔をおいて配置されるように形成されることを特徴とする，請求項８に記載のプラズマディスプレイパネル。
【請求項１０】
前記黒色層は，前記第１バス電極部および前記第２バス電極部の一部分を覆って形成されることを特徴とする，請求項８に記載のプラズマディスプレイパネル。
【請求項１１】
前記拡大電極は，前記第１基板に対向する面上に前記第１バス電極部および前記第２バス電極部を備え，前記第１方向で隣接する各々の前記放電セルに向かって拡大され，前記第１方向に互いに隣接した各々の前記放電セルに対応するように形成される拡大電極部を含み，
前記黒色層は，前記拡大電極部の間に位置することを特徴とする，請求項８〜１０のいずれかに記載のプラズマディスプレイパネル。
【請求項１２】
前記第１方向に互いに隣接した各々の前記放電セルに対応する前記拡大電極は，一体に形成され，
前記バス電極の前記第１バス電極部および前記第２バス電極部は，前記拡大電極の前記第１基板に対向する面上に所定の間隔をおいて各々対向するように形成され，
前記黒色層が，前記拡大電極の前記第１基板に対向する面上で，前記第１バス電極部と前記第２バス電極部との間に，所定の間隔をおいて形成されることを特徴とする，請求項８に記載のプラズマディスプレイパネル。
【請求項１３】
前記第１方向に互いに隣接した各々の前記放電セルに対応する前記拡大電極は，一体に形成され，
前記バス電極の前記第１バス電極部および前記第２バス電極部は，前記拡大電極の前記第１基板に対向する面上に所定の間隔をおいて各々対向するように形成され，
前記黒色層が，前記拡大電極の前記第１基板に対向する面上で，前記第１バス電極部および前記第２バス電極部の一部分を覆って形成されることを特徴とする，請求項８に記載のプラズマディスプレイパネル。
【請求項１４】
前記黒色層は，非放電領域に形成されることを特徴する，請求項８〜１３のいずれかに記載のプラズマディスプレイパネル。
【請求項１５】
前記隔壁は，前記第１方向に沿って形成される第１隔壁部材，および前記第２方向に沿って形成される第２隔壁部材を含み，
前記黒色層は，前記第２隔壁部材に対応して形成されることを特徴とする，請求項８〜１４のいずれかに記載のプラズマディスプレイパネル。
【請求項１６】
前記黒色層は，絶縁体から形成されることを特徴とする，請求項８〜１５のいずれかに記載のプラズマディスプレイパネル。
【発明の詳細な説明】
【技術分野】
【０００１】
本発明は，画像を表示するプラズマディスプレイパネルに関する。
【背景技術】
【０００２】
一般的に，プラズマディスプレイパネルは，気体放電により得られたプラズマから放射される真空紫外線（ＶＵＶ；Ｖａｃｕｕｍ  Ｕｌｔｒａｖｉｏｌｅｔ）が蛍光体を励起させることによって発生する可視光を利用し，映像を実現するディスプレイ部品である。
【０００３】
プラズマディスプレイパネルの一般的な構造は，３電極面放電型構造である。３電極面放電型構造は，二つの電極から構成される表示電極が形成される前面基板と，前面基板から所定の距離をおいて配置され，アドレス電極が形成される背面基板とを含む。そして，両基板の間の空間は，隔壁によって複数の放電セルに区画され，各放電セル内に蛍光体層が形成され，放電ガスが注入される。
【０００４】
このようなプラズマディスプレイパネルは，その内部に数百万個以上の単位放電セルをマトリックス（Ｍａｔｒｉｘ）形態で有する。このプラズマディスプレイパネルは，マトリックス形態に配列された放電セルを同時に駆動するために，記憶特性を利用する。
【発明の開示】
【発明が解決しようとする課題】
【０００５】
しかし，従来のプラズマディスプレイパネルは，入力電力から最終の可視光を得るまでの様々な段階を経過する過程で，多くの電力を消費するため，効率がよくないという問題がある。また，前面基板で外光が反射されるため，コントラストが低下するという問題がある。
【０００６】
そこで，本発明は，このような問題に鑑みてなされたもので，その目的とするところは，消費電力を低減することができ，コントラストを向上させることができるプラズマディスプレイパネルを提供することにある。
【課題を解決するための手段】
【０００７】
上記課題を解決するために，本発明の第１の観点によれば，所定の間隔をおいて，対向するように配置される第１基板および第２基板と，第１基板の第２基板に対向する面において，第１方向に沿って形成されるアドレス電極と，第１基板と第２基板との間の空間に配置されて放電セルを区画する隔壁と，各々の放電セル内に形成される蛍光体層と，第２基板の第１基板に対向する面において，第１方向と交差する第２方向に沿って形成され，第１方向で互いに交互に形成される第１電極および第２電極とを含み，第１電極および第２電極の各々は，第２方向に沿って延びて形成されるバス電極，および各々対応する放電セルの内部に向かって拡大される拡大電極を含み，各々のバス電極は，互いに電気的に接続されており，放電セルで第２方向に沿って形成され，互いの間に所定の間隔をおいて配置される少なくとも二つのバス電極部を含むプラズマディスプレイパネルが提供される。ここで，拡大電極が対応する放電セルの内部に向かって拡大されるということは，拡大電極が放電に関与する放電セルの内側に拡大されるということである。
【０００８】
本発明によれば，所定の間隔をおいて形成される少なくとも二つのバス電極部によってバス電極が構成されるので，バス電極の面積を減少することができるため，消費電力を低減することができ，効率を向上することができる。また，バス電極部の間で，非放電領域に形成される黒色層によって，プラズマ放電により生成された可視光の透過を妨害せずに外光の反射を防止することができる。したがって，輝度の低下を防止して，明室コントラストを向上させることができる。
【０００９】
第１電極および第２電極における各々のバス電極は，第１バス電極部および第２バス電極部を含むことができる。
【００１０】
第１電極および第２電極における各々のバス電極を構成する第１バス電極部および第２バス電極部は，第２基板のいずれか一側の周縁付近で互いに連結されることができる。具体的には，第２基板は，第１周縁と，第１周縁の反対側に位置する第２周縁とを有し，第１電極のバス電極を構成する第１バス電極部および第２バス電極部は，第２基板の第１周縁付近で互いに連結され，第２電極のバス電極を構成する第１バス電極部および第２バス電極部は，第２基板の第２周縁付近で互いに連結されることができる。
【００１１】
第１電極および第２電極の各々は，第１方向に隣接した各々の放電セルに共有されることができる。ここで，第１電極および第２電極の各々が，第１方向に隣接した各々の放電セルに共有されることにより，第１電極および第２電極は，第１方向に隣接した各々の放電セルの放電に関与することができる。
【００１２】
隔壁は，第１方向に沿って形成される第１隔壁部材，および第２方向に沿って形成される第２隔壁部材を含み，第１電極および第２電極の各々のバス電極は，第２隔壁部材に対応して形成されることができる。
【００１３】
第１電極と第２電極との間に，放電セルに対応して形成される第３電極をさらに含むことができる。
【００１４】
そして，第１電極および第２電極の各々において，所定の間隔をおいて配置される第１バス電極部と第２バス電極部との間に，第２方向に沿って黒色層が形成されることができる。黒色層と第１バス電極部および第２バス電極部とが，所定の間隔をおいて配置されるように形成されたり，黒色層が，第１バス電極部および第２バス電極部の一部分を覆って形成されることができる。ここで，第１バス電極部および第２バス電極部の一部分とは，第１バス電極部および第２バス電極部の第１基板に対向する面上の一部である。
【００１５】
拡大電極は，第１基板に対向する面上に第１バス電極部および第２バス電極部を備え，第１方向で隣接する各々の放電セルに向かって拡大され，第１方向に互いに隣接した各々の放電セルに対応するように形成される拡大電極部を含み，黒色層は，拡大電極部の間に位置することができる。ここで，拡大電極部は，第１方向に互いに隣接した各々の放電セルに対応するように形成されるので，第１方向に互いに隣接した各々の放電セルにおける放電に関与することができる。
【００１６】
第１方向に互いに隣接した各々の放電セルに対応する拡大電極は，一体に形成され，バス電極の第１バス電極部および第２バス電極部は，拡大電極の第１基板に対向する面上に，所定の間隔をおいて各々対向するように形成されることができる。この時，黒色層が，拡大電極の第１基板に対向する面上で，第１バス電極部と第２バス電極部との間に所定の間隔をおいて，配置されるように形成されたり，または，拡大電極の第１基板に対向する面上で，第１バス電極部および第２バス電極部の一部分を覆って形成されることができる。ここで，第１バス電極部および第２バス電極部の一部分とは，第１バス電極部および第２バス電極部の第１基板に対向する面上の一部である。
【００１７】
黒色層は，非放電領域に形成されることができる。具体的には，黒色層は，第１方向に沿って形成される第１隔壁部材，および第２方向に沿って形成される第２隔壁部材を含む隔壁において，第２隔壁部材に対応して形成されることができる。また，黒色層は，絶縁体から形成されることができる。
【発明の効果】
【００１８】
以上説明したように本発明によれば，バス電極が所定の間隔をおいて形成される少なくとも二つのバス電極部を含むので，電極の面積を減らすことができる。したがって，消費電力を低減させて効率を向上させることができる。また，非放電領域に黒色層が形成されるので，プラズマ放電によって生成された可視光の透過を妨害せずに外光の反射を防止することができる。したがって，輝度の低下を防止して，明室コントラストを向上させることができる。
【発明を実施するための最良の形態】
【００１９】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００２０】
（第１実施形態）
図１は，本発明の第１実施形態に係るプラズマディスプレイパネルの分解斜視図である。図２は，本発明の第１実施形態に係るプラズマディスプレイパネルの前面基板２０（第２基板２０）の部分底面図である。図３は，図１のＩＩＩ−ＩＩＩ線による部分断面図である。図２では，便宜上，第２隔壁部材１６ｂを省略する。
【００２１】
図１を参照すれば，本実施形態のプラズマディスプレイパネルは，所定の間隔をおいて対向配置される第１基板１０（以下，“背面基板”とする），第２基板２０（以下，“前面基板”とする），および背面基板１０と前面基板２０との間に備えられる隔壁１６を含む。隔壁１６は，背面基板１０と前面基板２０との間の空間を複数の放電セル１８に区画する。各々の放電セル１８には，真空紫外線を吸収して可視光を放出する蛍光体層１９が形成され，各々の放電セル１８内には，プラズマ放電により真空紫外線を発生させることができるように，放電ガス（例えば，ネオン（Ｎｅ）とキセノン（Ｘｅ）などを含む混合ガス）が充填される。
【００２２】
放電セル１８を区画する隔壁１６は，各々の放電セルを独立的な構造に区画する閉鎖型隔壁構造，または放電セルが一方向に連結されるように区画する開放型隔壁構造を有することができる。
【００２３】
本実施形態では，閉鎖型隔壁構造を例示している。この隔壁構造によって放電セルは，例えば，略四角形または略六角形のように多様な形状に形成されることができる。本実施形態では，各放電セル１８が略四角形に形成されることを例示している。
【００２４】
つまり，本実施形態で隔壁１６は，第１方向（図１のｙ軸方向）に沿って形成される第１隔壁部材１６ａと，第１方向に交差する第２方向（図１のｘ軸方向）に沿って形成され，各々の放電セル１８を独立的な放電空間に区画する第２隔壁部材１６ｂとを含む。
【００２５】
そして，本実施形態では，蛍光体層１９に衝突される真空紫外線をプラズマ放電により生成するために，背面基板１０の前面基板２０に対向する面上にアドレス電極１２が形成され，前面基板２０の背面基板１０に対向する面上に第１電極３１，第２電極３２，および第３電極３３が形成される。
【００２６】
各々のアドレス電極１２は，放電セル１８に対応して背面基板１０で第１方向に延びて形成される。アドレス電極１２は，互いに隣接する一対の第１隔壁部材１６ａの間に対応して，隣接した各々の第１隔壁部材１６ａに所定の間隔をおいて配置される。アドレス電極１２を覆うように誘電層１４が形成される。ここで，放電セル１８は，背面基板１０と前面基板２０との間において，第１方向で互いに隣接する第１隔壁部材１６ａの間と，第２方向で互いに隣接する第２隔壁部材１６ｂの間に形成される。
【００２７】
そして，誘電層１４の上部に形成される隔壁１６の内面と，各放電セル１８内での誘電層１４の表面上に蛍光体層１９が形成される。
【００２８】
第１電極３１および第２電極３２の各々は，前面基板２０で第２方向に沿って形成される。第１電極３１と第２電極３２は，放電セル１８の第２方向の両側に各々配置され，第１方向に沿って互いに交互で形成される。
【００２９】
この時，第１電極３１および第２電極３２の各々は，第１方向に隣接する放電セル１８に共有されながら，第２隔壁部材１６ｂに対応して配置される。第１電極３１は，バス電極３１ｂと拡大電極３１ａとを含み，第２電極３２は，バス電極３２ｂと拡大電極３２ａとを含む。ここで，第１電極３１および第２電極３２の各々が，第１方向に隣接した各々の放電セル１８に共有されることにより，第１電極３１および第２電極３２は，第１方向に隣接した各々の放電セル１８の放電に関与することができる。
【００３０】
バス電極３１ｂ，バス電極３２ｂは，第２隔壁部材１６ｂに対応して第２方向に沿って延びて形成され，拡大電極３１ａは，前面基板２０の背面基板１０に対向する面上に形成され，背面基板１０に対向する面上にバス電極３１ｂを備え，バス電極３１ｂの配置位置から第１方向に隣接する各々の放電セル１８に向かって拡大して形成される。拡大電極３２ａは，前面基板２０の背面基板１０に対向する面上に形成され，背面基板１０に対向する面上にバス電極３２ｂを備え，バス電極３２ｂの配置位置から第１方向に隣接する各々の放電セル１８に向かって拡大して形成される。本実施形態では，このような拡大電極３１ａ，拡大電極３２ａが各々の放電セル１８に対応して，互いに区画されて形成されることを例に挙げたが，本発明はこれに限定されるものではなく，拡大電極が帯状などの多様な形態で構成されることも可能である。また，バス電極の一部から拡大して拡大電極を形成してもよいし，バス電極が，拡大電極の背面基板１０に対向する面上に形成されなくてもよい。
【００３１】
拡大電極３１ａ，拡大電極３２ａは，放電セル１８の内部でプラズマ放電を起こす役割を果たすものであって，輝度確保のために，透過率に優れたＩＴＯ（Ｉｎｄｉｕｍ  Ｔｉｎ  Ｏｘｉｄｅ；インジウムスズ酸化物）などで形成されることができる。そして，バス電極３１ｂ，バス電極３２ｂは，拡大電極３１ａ，拡大電極３２ａの電気伝導性を補償するために，電気伝導性に優れた金属電極などで形成されることができる。
【００３２】
そして，各々の放電セル１８に対応しながら，第１電極３１と第２電極３２との間に第３電極３３が第２方向に沿って形成される。したがって，第３電極３３は，各々の放電セル１８の中心部に対応して形成されることができる。第３電極３３もまた，第１電極３１および第２電極３２と同様に，バス電極３３ｂと拡大電極３３ａとで構成されることができる。この時，第３電極３３の拡大電極３３ａは，バス電極３３ｂの両側に，つまり，第１電極３１および第２電極３２の各々に向かって拡大されることができる。
【００３３】
この時，アドレス期間では，アドレス電極１２と第３電極３３との間で発生したアドレス放電により点灯される放電セル１８を選択し，維持期間では，第１電極３１と第２電極３２との間で発生した維持放電により所定の画面を表示する。しかし，各々の電極は，印加される信号電圧に応じてその役割を別にすることができるので，本発明は，これに限定されない。
【００３４】
本実施形態では，第１電極３１のバス電極３１ｂおよび第２電極３２のバス電極３２ｂを第２隔壁部材１６ｂ，つまり，非放電領域に形成し，発光面積および開口率を増加させることができるので，結果的に高輝度を実現することができる。また，第１電極３１のバス電極３１ｂおよび第２電極３２のバス電極３２ｂが第２隔壁部材１６ｂに対応するように形成されるので，維持放電時に主放電の長さを増加させることができるので，発光効率を向上させることができる。
【００３５】
上記の第１電極３１を構成するバス電極３１ｂ，拡大電極３１ａと第２電極３２を構成するバス電極３２ｂ，拡大電極３２ａとについて，詳細に説明する。
【００３６】
図３を参照すると，第１電極３１のバス電極３１ｂは，第２隔壁部材１６ｂに相当する領域で，所定の間隔Ｃ１をおいて第２方向に沿って分離形成される第１バス電極部３１ｂ１と第２バス電極部３１ｂ２とを含む。第１バス電極部３１ｂ１と第２バス電極部３１ｂ２は，互いに電気的に接続されて同一の電圧が印加される。このために，図２のように，第１バス電極部３１ｂ１，第２バス電極部３１ｂ２を前面基板２０の一側の周縁付近（第１周縁）で一つに接続することができる。
【００３７】
同様に，第２電極３２のバス電極３２ｂは，第２隔壁部材１６ｂに相当する領域で，所定の間隔Ｃ２をおいて第２方向に沿って分離形成される第１バス電極部３２ｂ１と第２バス電極部３２ｂ２とを含む。第２電極３２の第１バス電極部３２ｂ１と第２バス電極部３２ｂ２は，互いに電気的に接続されて同一の電圧が印加される。このために，図２のように，第１バス電極部３２ｂ１，第２バス電極部３２ｂ２を前面基板２０の上記一側の周縁に対して反対側の周縁付近（第２周縁）で一つに接続することができる。ここで，第１電極３１の第１バス電極部３１ｂ１，第２バス電極部３１ｂ２および第２電極３２の第１バス電極部３２ｂ１，第２バス電極部３２ｂ２は，第２隔壁部材１６ｂに相当する領域に形成されるが，各々対応する放電セル１８の放電に関与できるように形成されることにより，他の電極とともに各々放電セル１８で放電を起こすことができる。
【００３８】
本実施形態では，第１電極３１のバス電極３１ｂを二つの第１バス電極部３１ｂ１，第２バス電極部３１ｂ２に分割し，第２電極３２のバス電極３２ｂを二つの第１バス電極部３２ｂ１，第２バス電極部３２ｂ２に分割することにより，第１電極３１のバス電極３１ｂ，第２電極３２のバス電極３２ｂの面積を減らすことができる。従って，消費電力を低減することができ，効率を向上することができる。
【００３９】
そして，第１電極３１の拡大電極３１ａは，背面基板１０に対向する面上に，第１バス電極部３１ｂ１および第２バス電極部３１ｂ２を備え，第１バス電極部３１ｂ１の配置位置から一つの放電セル１８に向かって拡大される第１拡大電極部３１ａ１，および第２バス電極部３１ｂ２の配置位置から第１方向に隣接する放電セル１８に向かって拡大される第２拡大電極部３１ａ２を含む。第２電極３２の拡大電極３２ａは，背面基板１０に対向する面上に，第１バス電極部３２ｂ１および第２バス電極部３２ｂ２を備え，第１バス電極部３２ｂ１の配置位置から一つの放電セル１８に向かって拡大される第１拡大電極部３２ａ１，および第２バス電極部３２ｂ２の配置位置から第１方向に隣接する放電セル１８に向かって拡大される第２拡大電極部３２ａ２を含む。つまり，本実施形態で第１電極３１または第２電極３２を成す拡大電極３１ａ，拡大電極３２ａは，一つの放電セル１８に対応する第１拡大電極部３１ａ１，第１拡大電極部３２ａ１と，第１方向に隣接した各々の放電セル１８に対応する第２拡大電極部３１ａ２，第２拡大電極部３２ａ２を含む。上記と異なって，拡大電極３１ａの第１拡大電極部３１ａ１，第２拡大電極部３１ａ２は，各々第１バス電極部３１ｂ１，第２バス電極部３１ｂ２の一部から拡大されて形成されてもよい。同様に，拡大電極３２ａの第１拡大電極部３２ａ１，第２拡大電極部３２ａ２は，各々第１バス電極部３２ｂ１，第２バス電極部３２ｂ２の一部から拡大されて形成されてもよい。
【００４０】
本実施形態では，第１電極３１のバス電極３１ｂをなす各々の第１バス電極部３１ｂ１と第２バス電極部３１ｂ２との間に，第２方向に黒色層３５が形成され，第２電極３２のバス電極３２ｂを成す各々の第１バス電極部３２ｂ１と第２バス電極部３２ｂ２との間に，第２方向に黒色層３６が形成される。
【００４１】
さらに正確には，第１電極３１では，第１拡大電極部３１ａ１と第２拡大電極部３１ａ２との間，および第１バス電極部３１ｂ１と第２バス電極部３１ｂ２との間に第１黒色層３５が形成され，第２電極３２では，第１拡大電極部３２ａ１と第２拡大電極部３２ａ２との間，および第１バス電極部３２ｂ１と第２バス電極部３２ｂ２との間に第２黒色層３６が形成される。
【００４２】
そして，第１黒色層３５と第１電極３１の第１バス電極部３１ｂ１とは，所定の間隔Ｃ１１をおいて配置され，第１黒色層３５と第１電極３１の第２バス電極部３１ｂ２とは，所定の間隔Ｃ１２をおいて配置される。そのために，第１黒色層３５の面積，およびその両側に形成される間隔Ｃ１１，間隔Ｃ１２が占める面積だけ，バス電極３１ｂの面積をさらに減らすことができる。したがって，プラズマディスプレイパネルの駆動時，第１電極３１側でのキャパシタンスを減らすことができ，消費電力を低減させることができる。
【００４３】
これと同様に，第２黒色層３６と第２電極３２の第１バス電極部３２ｂ１とは，所定の間隔Ｃ２１をおいて配置され，第２黒色層３６と第２電極３２の第２バス電極部３２ｂ２とは，所定の間隔Ｃ２２をおいて配置される。したがって，第２黒色層３６の面積，およびその両側に形成される間隔Ｃ２１，間隔Ｃ２２が占める面積だけ，バス電極３２ｂの面積が低減される。したがって，プラズマディスプレイパネルの駆動時，第２電極３２側でのキャパシタンスを減らすことができ，消費電力を低減させることができる。
【００４４】
上記のように消費電力を効果的に低減させるために，第１黒色層３５と第２黒色層３６は，絶縁体から形成されることができる。
【００４５】
本実施形態で，第１黒色層３５と第２黒色層３６が非放電領域である第２隔壁部材１６ｂに沿って形成されることによって，プラズマ放電により生成された可視光の透過を妨害せずに外光の反射を防止することができる。したがって，輝度の低下を防止でき，明室コントラストを向上させることができる。
【００４６】
第１電極３１，第２電極３２，および第３電極３３は，誘電層２１で覆われ，誘電層２１は，保護膜２３で覆われることができる。誘電層２１は，電極の保護，壁電荷の形成，および充電と共に透過率の確保のために透明誘電体などから形成されることができる。保護膜２３は，第１電極３１，第２電極３２，第３電極３３と誘電層２１を保護し，プラズマ放電時に二次電子を効果的に放出することができるＭｇＯ保護膜などから形成されることができる。
【００４７】
以下では，本発明の第２実施形態〜第５実施形態に係るプラズマディスプレイパネルを詳細に説明する。この実施形態は，第１実施形態と全体的な構成が類似しているので，異なる部分についてのみ詳細に説明する。
【００４８】
（第２実施形態）
図４は，本発明の第２実施形態に係るプラズマディスプレイパネルの部分断面図である。
【００４９】
本実施形態で第１黒色層４５は，第１電極４１のバス電極４１ｂを構成する第１バス電極部４１ｂ１および第２バス電極部４１ｂ２の各々の一部分を覆って形成される。これと同様に，第２黒色層４６は，第２電極４２のバス電極４２ｂを構成する第１バス電極部４２ｂ１および第２バス電極部４２ｂ２の各々の一部分を覆って形成される。ここで，第１バス電極部４１ｂ１および第２バス電極部４１ｂ２の各々の一部分，第１バス電極部４２ｂ１および第２バス電極部４２ｂ２の各々の一部分とは，各々バス電極部の背面基板１０に対向する面上の一部である。この時，第１電極４１および第２電極４２の拡大電極４１ａ，拡大電極４２ａは，一つの放電セル１８に対応し，対向する第１拡大電極部４１ａ１，第１拡大電極部４２ａ１と，第１拡大電極部４１ａ１，第１拡大電極部４２ａ１の反対側に位置し，第１方向に隣接した各々の放電セル１８に対応する第２拡大電極部４１ａ２，第２拡大電極部４２ａ２を含む。
【００５０】
本実施形態では，絶縁体から形成される第１黒色層４５と第２黒色層４６の幅が増大することにより，前面基板２０と背面基板１０の調整（ａｌｉｇｎ）を容易に行うことができる。
【００５１】
（第３実施形態）
図５は，本発明の第３実施形態に係るプラズマディスプレイパネルの部分断面図である。
【００５２】
本実施形態で，第１電極５１の拡大電極５１ａおよび第２電極５２の拡大電極５２ａの各々は，第１方向に互いに隣接した各々放電セル１８に対応するように一体に形成される。バス電極５１ｂを構成する第１バス電極部５１ｂ１，第２バス電極部５１ｂ２が拡大電極５１ａの背面基板１０に対向する面上に所定の間隔をおいて各々対向するように形成される。バス電極５２ｂを構成する第１バス電極部５２ｂ１，第２バス電極部５２ｂ２が拡大電極５２ａの背面基板１０に対向する面上に所定の間隔をおいて各々対向するように形成される。
【００５３】
そして，第１黒色層５５は，拡大電極５１ａの背面基板１０に対向する面上で，第１バス電極部５１ｂ１と第２バス電極部５１ｂ２との間に所定の間隔をおいて，形成される。第２黒色層５６は，拡大電極５２ａの背面基板１０に対向する面上で，第１バス電極部５２ｂ１と第２バス電極部５２ｂ２との間に，所定の間隔をおいて形成される。
【００５４】
（第４実施形態）
図６は，本発明の第４実施形態に係るプラズマディスプレイパネルの部分断面図である。
【００５５】
本実施形態で，第１電極６１の拡大電極６１ａおよび第２電極６２の拡大電極６２ａの各々は，第１方向に互いに隣接した各々放電セル１８に対応するように一体に形成される。そして，第１黒色層６５は，拡大電極６１ａの背面基板１０に対向する面上で，バス電極６１ｂを構成する第１バス電極部６１ｂ１と第２バス電極部６１ｂ２の一部分を覆って形成される。第２黒色層６６は，拡大電極６２ａの背面基板１０に対向する面上で，バス電極６２ｂを構成する第１バス電極部６２ｂ１と第２バス電極部６２ｂ２の一部分を覆って形成される。ここで，第１バス電極部６１ｂ１および第２バス電極部６１ｂ２の各々の一部分，第１バス電極部６２ｂ１および第２バス電極部６２ｂ２の各々の一部分とは，各々バス電極部の背面基板１０に対向する面上の一部である。
【００５６】
（第５実施形態）
図７は，本発明の第５実施形態に係るプラズマディスプレイパネルの部分断面図である。
【００５７】
本実施形態で放電に関与する電極は，アドレス電極１２，第１電極７１，および第２電極７２である。この時，第１電極７１は，拡大電極７１ａとバス電極７１ｂとを含み，第２電極７２は，拡大電極７２ａとバス電極７２ｂとを含む。そして，拡大電極７１ａは，第１拡大電極部７１ａ１と第２拡大電極部７１ａ２とを含み，拡大電極７２ａは，第１拡大電極部７２ａ１と第２拡大電極部７２ａ２とを含む。バス電極７１ｂは，第１バス電極部７１ｂ１と第２バス電極部７１ｂ２とを含み，バス電極７２ｂは，第１バス電極部７２ｂ１と第２バス電極部７２ｂ２とを含むことができる。
【００５８】
本発明の第１実施形態〜第４実施形態のプラズマディスプレイは，４電極構造であるのに対して，本実施形態のプラズマディスプレイパネルは３電極構造であって，各放電セル１８を一つのサブピクセルに，または第１方向に隣接した一対の放電セル１８を一つのサブピクセルとして駆動するように設計することができる。
【００５９】
第１電極７１と第２電極７２の構造を第１実施形態と同一なものとして説明したが，本発明は，これに限定されるものではなく，第２実施形態〜第４実施形態での第１電極および第２電極の構造を有するものも可能であり，これもまた本発明の範囲に属する。
【００６０】
そして，本発明では，バス電極が第１バス電極部と第２バス電極部を含むことを例に挙げて説明したが，本発明は，バス電極が少なくとも二つ以上のバス電極部を含む全ての場合が本発明の範囲に属する。
【００６１】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【図面の簡単な説明】
【００６２】
【図１】本発明の第１実施形態に係るプラズマディスプレイパネルの部分分解斜視図である。
【図２】本発明の第１実施形態に係るプラズマディスプレイパネルの前面基板２０（第２基板２０）の部分底面図である。
【図３】図１のＩＩＩ−ＩＩＩ線よる部分断面図である。
【図４】本発明の第２実施形態に係るプラズマディスプレイパネルの部分断面図である。
【図５】本発明の第３実施形態に係るプラズマディスプレイパネルの部分断面図である。
【図６】本発明の第４実施形態に係るプラズマディスプレイパネルの部分断面図である。
【図７】本発明の第５実施形態に係るプラズマディスプレイパネルの部分断面図である。
【符号の説明】
【００６３】
１０      背面基板
１４，２１      誘電層
１６      隔壁
１６ａ      第１隔壁部材
１６ｂ      第２隔壁部材
１８      放電セル
１９      蛍光体層
２０      前面基板
２３      保護膜
３１，４１，５１，６１，７１      第１電極
３１ａ，３２ａ，３３ａ，４１ａ，４２ａ，５１ａ，５２ａ，６１ａ，６２ａ，７１ａ，７２ａ      拡大電極
３１ａ１，３２ａ１，４１ａ１，４２ａ１，７１ａ１，７２ａ１      第１拡大電極部
３１ａ２，３２ａ２，４１ａ２，４２ａ２，７１ａ２，７２ａ２      第２拡大電極部
３１ｂ，３２ｂ，３３ｂ，４１ｂ，４２ｂ，５１ｂ，５２ｂ，６１ｂ，６２ｂ，７１ｂ，７２ｂ      バス電極
３１ｂ１，３２ｂ１，４１ｂ１，４２ｂ１，５１ｂ１，５２ｂ１，６１ｂ１，６２ｂ１，７１ｂ１，７２ｂ１      第１バス電極部
３１ｂ２，３２ｂ２，４１ｂ２，４２ｂ２，５１ｂ２，５２ｂ２，６１ｂ２，６２ｂ２，７１ｂ２，７２ｂ２      第２バス電極部
３２，４２，５２，６２，７２      第２電極
３３      第３電極
３５，４５，５５，６５      第１黒色層
３６，４６，５６，６６      第２黒色層
【図１】
2006237002.tif 000003
【図２】
2006237002.tif 000004
【図３】
2006237002.tif 000005
【図４】
2006237002.tif 000006
【図５】
2006237002.tif 000007
【図６】
2006237002.tif 000008
【図７】
2006237002.tif 000009